(57)【特許請求の範囲】
【請求項１】
第１端部と、前記第１端部の反対側の第２端部と、前記第１端部と前記第２端部とに亘った第１面と、前記第１面の反対側の第２面と、を有した第１筐体と、
第３面を有し、前記第３面と前記第２面とが対向する位置と前記第３面と前記第２面とが対向しない位置との間で、前記第１端部と前記第２端部との間で前記第１端部寄りに位置された回転中心軸の回りに回転可能に、前記第１筐体に支持された第２筐体と、
前記第１面から前記第１筐体の外部に向けて突出し、前記第１端部と前記第２端部とのうち前記第１端部に寄せられた支持部材と、
前記支持部材を前記第１筐体に固定した結合具と、
を備え、
前記支持部材は、支持部と、当該支持部材の前記第１筐体からの突出方向での当該支持部材の先端面を含み、前記支持部材に対して前記突出方向側に位置され前記支持部に固定された弾性部と、を有し、
前記支持部材には、前記突出方向に前記支持部および前記弾性部を貫通し前記先端面に開口した貫通孔が設けられ、
前記結合具は、前記貫通孔に入れられたヘッド部と、前記ヘッド部から前記突出方向の反対方向に延び前記第１筐体と結合した軸部と、を有し、
前記支持部は、前記貫通孔に入れられた前記ヘッド部に対して前記突出方向の反対方向に位置し前記ヘッド部が重ねられた受面を有し、
前記弾性部の少なくとも一部は、前記第１面の外側において、前記回転中心軸よりも前記第２端部から前記第１端部に向かう方向に位置された、電子機器。
【請求項２】
前記先端面は、前記第１端部から前記第２端部に向かう方向に向かうにつれて、前記第２面から前記第１面に向かう方向に凸の湾曲状である、請求項１に記載の電子機器。
【請求項３】
前記第１筐体は、前記第１面を有した第１部材と、前記第２面を有した第２部材と、を備え、
前記第１部材は、切り欠き部が設けられた角部を有し、
前記支持部材は、前記切り欠き部を覆った、請求項１または２に記載の電子機器。
【請求項４】
前記先端面には、凹部が設けられた、請求項１〜３のうちいずれか一つに記載の電子機器。
【請求項５】
前記凹部は、波形状である、請求項４に記載の電子機器。
【請求項６】
前記弾性部は、前記第２筐体と接触することにより、前記第２面と前記第３面との間の角度が大きくなる方向への前記第１筐体に対する前記第２筐体の回転を制限する、請求項１〜５のうちいずれか一つに記載の電子機器。
【発明の詳細な説明】
【技術分野】
【０００１】
本発明は、電子機器に関する。
【背景技術】
【０００２】
従来、第１筐体と、第１筐体に回転可能に支持された第２筐体と、第１筐体の底面から突出し載置面に接触する弾性部を含む支持部材を備えた電子機器が知られている。支持部材は、所謂ゴム脚である。
【先行技術文献】
【特許文献】
【０００３】
【特許文献１】特開２０１３−５５３９８号公報
【発明の概要】
【発明が解決しようとする課題】
【０００４】
この種の電子機器では、例えば、軽量化が進むと、ユーザが第１筐体を手で押さえずに第１筐体に対して第２筐体を展開方向に押すと、第２筐体が第１筐体に対して回転しないまま電子機器全体が載置面に対して回転してしまう場合がある。この場合、第１筐体の端部が載置面と接触する場合がある。
【０００５】
そこで、本発明の課題の一つは、載置面に対して第１筐体と第２筐体とが一体に回転した場合でも、第１筐体が載置面と接触するのが抑制されやすい新規な構成の電子機器を得ることである。
【課題を解決するための手段】
【０００６】
本発明の第１態様にかかる電子機器は、第１端部と、前記第１端部の反対側の第２端部と、前記第１端部と前記第２端部とに亘った第１面と、前記第１面の反対側の第２面と、を有した第１筐体と、第３面を有し、前記第３面と前記第２面とが対向する位置と前記第３面と前記第２面とが対向しない位置との間で、前記第１端部と前記第２端部との間で前記第１端部寄りに位置された回転中心軸の回りに回転可能に、前記第１筐体に支持された第２筐体と、前記第１面から前記第１筐体の外部に向けて突出し、前記第１端部と前記第２端部とのうち前記第１端部に寄せられた支持部材と、前記支持部材を前記第１筐体に固定した結合具と、を備え、前記支持部材は、支持部と、当該支持部材の前記第１筐体からの突出方向での当該支持部材の先端面を含み、前記支持部材に対して前記突出方向側に位置され前記支持部に固定された弾性部と、を有し、前記支持部材には、前記突出方向に前記支持部および前記弾性部を貫通し前記先端面に開口した貫通孔が設けられ、前記結合具は、前記貫通孔に入れられたヘッド部と、前記ヘッド部から前記突出方向の反対方向に延び前記第１筐体と結合した軸部と、を有し、前記支持部は、前記貫通孔に入れられた前記ヘッド部に対して前記突出方向の反対方向に位置し前記ヘッド部が重ねられた受面を有し、前記弾性部の少なくとも一部は、前記第１面の外側において、前記回転中心軸よりも前記第２端部から前記第１端部に向かう方向に位置されている。
【０００７】
前記電子機器では、例えば、前記先端面は、前記第１端部から前記第２端部に向かう方向に向かうにつれて、前記第２面から前記第１面に向かう方向に凸の湾曲状である。
【０００８】
前記電子機器では、例えば、前記第１筐体は、前記第１面を有した第１部材と、前記第２面を有した第２部材と、を備え、前記第１部材は、切り欠き部が設けられた角部を有し、前記支持部材は、前記切り欠き部を覆っている。
【０００９】
前記電子機器では、例えば、前記先端面には、凹部が設けられている。
【００１０】
前記電子機器では、例えば、前記凹部は、波形状である。
【００１１】
前記電子機器では、前記弾性部は、前記第２筐体と接触することにより、前記第２面と前記第３面との間の角度が大きくなる方向への前記第１筐体に対する前記第２筐体の回転を制限する。
【発明の効果】
【００１２】
本発明の上記態様によれば、載置面に対して第１筐体と第２筐体とが一体に回転した場合でも、第１筐体が載置面と接触するのが抑制されやすい新規な構成の電子機器を得ることができる。
【図面の簡単な説明】
【００１３】
【図１】図１は、実施形態の電子機器の例示的な平面図であって、ディスプレイ部が第１展開位置に位置された状態の図である。
【図２】図２は、実施形態の電子機器の例示的な側面図であって、ディスプレイ部が第１展開位置に位置された状態の図である。
【図３】図３は、実施形態の電子機器の例示的な側面図であって、ディスプレイ部が第２展開位置に位置された状態の図である。
【図４】図４は、実施形態の電子機器の例示的な側面図であって、ディスプレイ部が閉じ位置に位置された状態の図である。
【図５】図５は、実施形態の電子機器の例示的な底面図であって、ディスプレイ部が閉じ位置に位置された状態の図である。
【図６】図６は、実施形態の電子機器の例示的な背面図であって、ディスプレイ部が閉じ位置に位置された状態の図である。
【図７】図７は、実施形態の電子機器におけるロアカバーの底面側からの斜視図である。
【図８】図８は、図５のＦ８部の拡大図である。
【図９】図９は、実施形態の電子機器のベース部の後端部の断面図である。
【図１０】図１０は、図３のＦ１０の拡大図である。
【図１１】図１１は、実施形態の電子機器における右後ろ側の支持部材の底面側からの例示的な斜視図である。
【図１２】図１２は、実施形態の電子機器における右後ろ側の支持部材の例示的な底面図である。
【図１３】図１３は、実施形態の電子機器における右後ろ側の支持部材の例示的な平面図である。
【図１４】図１４は、実施形態の電子機器における右後ろ側の支持部材の例示的な左側面図である。
【図１５】図１５は、実施形態の電子機器における右後ろ側の支持部材の例示的な右側面図である。
【図１６】図１６は、実施形態の電子機器における右後ろ側の支持部材の例示的な背面図である。
【図１７】図１７は、実施形態の電子機器における右後ろ側の支持部材の例示的な正面図である。
【発明を実施するための形態】
【００１４】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１５】
なお、本明細書では、序数は、部品や、部材、部位、位置、方向等を区別するためだけに用いられており、順番や優先度を示すものではない。
【００１６】
図１は、実施形態の電子機器１の正面側からの例示的な斜視図であって、ディスプレイ部３が第１展開位置に位置された状態の図である。図２は、実施形態の電子機器１の例示的な側面図であって、ディスプレイ部３が第１展開位置に位置された状態の図である。図３は、実施形態の電子機器１の例示的な側面図であって、ディスプレイ部３が第２展開位置に位置された状態の図である。図４は、実施形態の電子機器１の例示的な側面図であって、ディスプレイ部３が閉じ位置に位置された状態の図である。図５は、実施形態の電子機器１の例示的な底面図であって、ディスプレイ部３が閉じ位置に位置された状態の図である。図６は、実施形態の電子機器１の例示的な背面図であって、ディスプレイ部３が閉じ位置に位置された状態の図である。
【００１７】
図１〜図６に示されるように、電子機器１は、例えば、ノートブック型（クラムシェル型）のパーソナルコンピュータとして構成され、ベース部２と、ディスプレイ部３と、を備えている。ベース部２は、例えば机や、台、棚等の載置部１００の平坦な載置面１００ａに載置される。ディスプレイ部３は、ベース部２に対して回転中心軸Ｃの回りに回転可能にベース部２に支持され、第２展開位置（図３）と、閉じ位置（図４）との間を回転可能である。第２展開位置と閉じ位置との間に、第１展開位置（図２）が含まれる。第２展開位置は、ディスプレイ部３がベース部２と略平行となる位置である。第１展開位置は、ディスプレイ部３がベース部２に対して鈍角に傾斜した位置である。ディスプレイ部３は、ヒンジ５を介してベース部２に連結されている。第１展開位置および第２展開位置は、第２位置の一例であり、閉じ位置は、第１位置の一例である。載置面１００ａは、平面とも称される。
【００１８】
なお、本実施形態では、便宜上、互いに直交する三方向が定義されている。Ｘ方向は、ベース部２の奥行方向（前後方向、短手方向）に沿い、Ｙ方向は、ベース部２の幅方向（左右方向、長手方向）に沿い、Ｚ方向は、ベース部２の高さ方向（上下方向）に沿う。また、以下の説明では、Ｘ方向は前方、Ｘ方向の反対方向は後方とも称され、Ｙ方向は左方、Ｙ方向の反対方向は右方とも称され、Ｚ方向は上方、Ｚ方向の反対方向は下方とも称される。
【００１９】
ベース部２は、第１筐体１１と、第１筐体１１に支持されたキーボード１２と、を有している。キーボード１２は、上方から操作可能な状態に第１筐体１１に支持されている。また、第１筐体１１内には、基板（不図示）が収容されている。基板には、ＣＰＵ（Central  Processing  Unit）や、ＲＯＭ（Read  Only  Memory）、ＲＡＭ（Random  Access  Memory）等の複数の電子部品（不図示）が実装されている。基板に設けられた配線と基板に実装された複数の電子部品とによって、電子機器１の電子回路の少なくとも一部が構成されている。
【００２０】
ディスプレイ部３は、第２筐体２１と、ディスプレイユニット２２と、を有している。ディスプレイユニット２２は、表示画面２２ａが前方から視認可能な状態に、第２筐体２１に支持されている。
【００２１】
ディスプレイ部３が第１展開位置（図１、図２）や第２展開位置（図３）に位置した状態では、第１筐体１１の上面１１ａおよびキーボード１２と、第２筐体２１の前面２１ａおよびディスプレイユニット２２の表示画面２２ａとが対向せず、第１筐体１１の上面１１ａ、キーボード１２、第２筐体２１の前面２１ａ、ディスプレイユニット２２の表示画面２２ａが露出する。このとき、第２筐体２１の前面２１ａおよび後面２１ｂは、それぞれ、前方および後方を向く（図３）。
【００２２】
一方、ディスプレイ部３が閉じ位置（図３）に位置した状態では、第１筐体１１の上面１１ａおよびキーボード１２と、第２筐体２１の前面２１ａおよびディスプレイユニット２２の表示画面２２ａとが対向する。
【００２３】
第１筐体１１の形状は、上下方向に扁平な略直方体である。第１筐体１１は、例えば、下壁１１ｃや、上壁１１ｄ、前壁１１ｅ、後壁１１ｆ、左壁１１ｇ、右壁１１ｈ等の複数の壁を有している。
【００２４】
下壁１１ｃは、上面１１ａの反対側の下面１１ｂを含み、上壁１１ｄは、上面１１ａを含む。下壁１１ｃおよび上壁１１ｄは、いずれも、Ｚ方向と直交する方向（ＸＹ平面）に沿って延びており、Ｚ方向に間隔をあけて互いに平行に設けられている。ここで、下面１１ｂは、平坦面１１ｂａと、湾曲面１１ｂｂと、を有する。湾曲面１１ｂｂは、平坦面１１ｂａの後端部からＸ方向の反対方向に延びている。湾曲面１１ｂｂは、後端部１１ｊから前端部１１ｉに向かう方向、すなわちＸ方向に向かうにつれて、上面１１ａから下面１１ｂに向かう方向、すなわちＺ方向の反対方向に凸の湾曲状である。下壁１１ｃには、第１筐体１１を載置部１００の載置面１００ａから離間した状態に支持する複数の支持部材４５Ａ〜４５Ｄ（図２、図３、図５）が設けられている。支持部材４５Ａ〜４５Ｄは、脚やゴム脚等とも称される。
【００２５】
前壁１１ｅおよび後壁１１ｆは、いずれも、Ｘ方向と直交する方向（ＹＺ平面）に沿って延びており、Ｘ方向に間隔をあけて互いに平行に設けられている。前壁１１ｅおよび後壁１１ｆは、それぞれ、第１筐体１１の前端部１１ｉおよび後端部１１ｊを構成している。前端部１１ｉは、回転中心軸Ｃと離間している。後端部１１ｊは、前端部１１ｉに対して回転中心軸Ｃ側に設けられている。前端部１１ｉは、第２端部の一例であり、後端部１１ｊは、第１端部の一例である。
【００２６】
左壁１１ｇおよび右壁１１ｈは、いずれも、Ｙ方向と直交する方向（ＸＺ平面）に沿って延びており、Ｙ方向に間隔をあけて互いに平行に設けられている。左壁１１ｇおよび右壁１１ｈは、それぞれ、第１筐体１１の左端部１１ｋおよび右端部１１ｍを構成している。
【００２７】
また、第１筐体１１には、四つの角部１１ｎａ〜１１ｎｄが設けられている。角部１１ｎａは、前壁１１ｅと左壁１１ｇとの間に設けられている。角部１１ｎｂは、左壁１１ｇと後壁１１ｆとの間に設けられている。角部１１ｎｃは、後壁１１ｆと右壁１１ｈとの間に設けられている。角部１１ｎｄは、右壁１１ｈと前壁１１ｅとの間に設けられている。
【００２８】
また、第１筐体１１は、ロアカバー１３と、アッパーカバー１４と、を含む複数の部材の組み合わせによって構成されている。ロアカバー１３は、少なくとも下壁１１ｃを含む。アッパーカバー１４は、少なくとも上壁１１ｄを含む。ロアカバー１３とアッパーカバー１４とは、ネジ部材等の結合部材によって互いに結合されている。ロアカバー１３は、第１部材の一例であり、アッパーカバー１４は、第２部材の一例である。
【００２９】
図７は、実施形態の電子機器１におけるロアカバー１３の底面側からの斜視図である。図７に示されるように、ロアカバー１３は、第１筐体１１の前端部１１ｉ、後端部１１ｊ、左端部１１ｋ、および右端部１１ｍのそれぞれの一部を含む。また、ロアカバー１３には、四つの角部１３ｎａ〜１３ｎｄが設けられている。角部１３ｎａは、角部１１ｎａに含まれ、角部１３ｎｂは、角部１１ｎｂに含まれ、角部１３ｎｃは、角部１１ｎｃに含まれ、角部１３ｎｄは、角部１１ｎｄに含まれる。また、角部１３ｎｂ，１３ｎｃには、切り欠き部１３ａが設けられている。
【００３０】
次に、支持部材４５Ａ〜４５Ｄについて説明する。図５に示されるように、支持部材４５は、第１筐体１１の角部１１ｎａ〜１１ｎｄ毎に設けられて、下面１１ｂから突出している。支持部材４５Ａは、左前側の支持部材であり、支持部材４５Ｂは、左後ろ側の支持部材であり、支持部材４５Ｃは、右後ろ側の支持部材であり、支持部材４５Ｄは、右前側の支持部材である。
【００３１】
支持部材４５Ａ，４５Ｄは、第１筐体１１の前端部１１ｉと後端部１１ｊとのうち前端部１１ｉに寄せられるとともに回転中心軸Ｃの軸方向に互いに間隔を空けて位置されている。支持部材４５Ｂ，４５Ｃは、第１筐体１１の前端部１１ｉと後端部１１ｊとのうち後端部１１ｊに寄せられるとともに回転中心軸Ｃの軸方向に互いに間隔を空けて位置されている。
【００３２】
支持部材４５Ａ〜４５Ｄは、それぞれ、少なくとも一部が弾性材料によって構成され、弾性を有している。弾性材料は、例えばエラストマである。支持部材４５Ａと支持部材４５Ｄとは、同一形状である。支持部材４５Ｂおよび支持部材４５Ｃの形状は、支持部材４５Ａ，４５Ｄの形状と異なる。支持部材４５Ｂと支持部材４５Ｃとは、Ｘ方向における支持部材４５Ｂと支持部材４５Ｃとの中間を通り回転中心軸Ｃと直交する平面Ｐ１（図５）に関して対称である。
【００３３】
以下、支持部材４５Ｂと支持部材４５Ｃとについて、支持部材４５Ｃを代表として説明する。図８は、図５のＦ８部の拡大図である。図９は、実施形態の電子機器１のベース部２の後端部の断面図である。図１０は、図３のＦ１０の拡大図である。
【００３４】
図８〜１０に示されるように、支持部材４５Ｃは、角部１１ｎに沿った形状に構成され、下面１１ｂから突出している。また、支持部材４５Ｃは、結合具４６によって、第１筐体１１に固定されている。図９に示されるように、結合具４６は、雄ネジ部材であり、ヘッド部４６ａと、ヘッド部４６ａからＺ方向に延びた軸部４６ｂと、を有する。軸部４６ｂの外周面には、雌ネジ部が設けられ、この雌ネジ部が筐体１０に設けられた雌ネジ部と結合している。支持部材４５Ｃは、ロアカバー１３の角部１３ｎｃの切り欠き部１３ａを覆っている。また、同様に、支持部材４５Ｂは、ロアカバー１３の角部ｎｂの切り欠き部１３ａを覆っている。
【００３５】
図１１〜図１７は、実施形態の電子機器１における右後ろ側の支持部材４５Ｃの例示的な図である。図１１は、底面側からの斜視図であり、図１２は、底面図であり、図１３は、平面図であり、図１４は、左側面図であり、図１５は、右側面図であり、図１６は、背面図であり、図１７は、正面図である。
【００３６】
図１１〜図１７に示されるように、支持部材４５Ｃは、弾性部４５ａと、支持部４５ｂと、を有する。
【００３７】
弾性部４５ａは、例えば、エラストマによって構成されている。支持部４５ｂに弾性部４５ａが接着等によって固定されている。また、図９に示されるように、支持部材４５Ｃは、第１筐体１１の下面１１ｂから第１筐体１１の外部に突出した突出部４５ｍを有する。突出部４５ｍは、弾性部４５ａと、支持部４５ｂの一部とを含む。
【００３８】
突出部４５ｍにおける弾性部４５ａを含む部分の少なくとも一部は、下面１１ｂの外側において、回転中心軸Ｃよりも、前端部１１ｉから後端部１１ｊに向かう方向すなわちＸ方向の反対方向に位置されている。支持部４５ｂは、金属材料や合成樹脂材料等によって構成されている。
【００３９】
図１１〜図１７に示されるように、支持部材４５Ｃは、前端部４５ｆ、後端部４５ｇ、左端部４５ｈ、および右端部４５ｉを有する。後端部４５ｇは、前端部４５ｆのＸ方向の反対方向側に位置されて、第１筐体１１の後端部６ｈに沿う。右端部４５ｉは、左端部４５ｈのＹ方向の反対側に位置されて、第１筐体１１の右端部１１ｍに沿う。右端部４５ｉは、第１筐体１１の右端部１１ｍに連接されている。また、支持部材４５Ｃは、後端部４５ｇと右端部４５ｉとの間に設けられた湾曲状の接続部４５ｊを有する。接続部４５ｊは、第１筐体１１の角部１１ｎｃに沿う。接続部４５ｊは、角部とも称される。
【００４０】
図１１、図１２に示されるように、支持部材４５Ｃは、先端面４５ｅを有する。先端面４５ｅは、支持部材４５Ｃの第１筐体１１からの突出方向、すなわちＺ方向の反対方向での支持部材４５Ｃ（突出部４５ｍ）の端面である。先端面４５ｅは、弾性部４５ａに含まれる。先端面４５ｅは、前端部４５ｆ、後端部４５ｇ、左端部４５ｈ、右端部４５ｉ、および接続部４５ｊに亘っている。
【００４１】
先端面４５ｅは、後端部１１ｊから前端部１１ｉに向かう方向、すなわちＸ方向に向かうにつれて、上面１１ａから下面１１ｂに向かう方向に、すなわちＺ方向の反対方向に、凸の湾曲状である。また、先端面４５ｅにおける右端部４５ｉに連接された部分は、右端部１１ｍから左端部１１ｋに向かう方向すなわちＹ方向に向かうにつれて、上面１１ａから下面１１ｂに向かう方向すなわちＺ方向の反対方向に向かう、凸の湾曲状である。
【００４２】
また、支持部材４５Ｃには、貫通孔４５ｃが設けられている。貫通孔４５ｃは、支持部材４５ＣをＺ方向に貫通し、先端面４５ｅに開口している。この貫通孔４５ｃに結合具４６が入れられている。結合具４６のヘッド部４６ａは、全体が貫通孔４５ｃに入れられている。すなわち、結合具４６のヘッド部４６ａは、支持部材４５Ｃ内に埋め込まれており、先端面４５ｅから突出していない。また、ヘッド部４６ａは、支持部材４５Ｃに設けられた受面４５ｄに重ねられている（図９）。
【００４３】
また、先端面４５ｅには、複数の溝４５ｋが設けられている。複数の溝４５ｋは、Ｘ方向に互いに間隔を空けて並べられている。溝４５ｋは、凹部の一例である。溝４５ｋは、Ｙ方向を高さ方向（振幅方向）としてＸ方向に延びる波形状である。なお、溝４５Ｋ、上記の形状に限らない。例えば、溝４５ｋは、直線状であってもよい。また、凹部は、上記に限られない。例えば、凹部は、円形状であってもよい。
【００４４】
また、弾性部４５ａの先端面４５ｅは、ストッパ部４５ｅｆを有する。ストッパ部４５ｅｆは、第２筐体２１と接触することにより、上面１１ａと前面２１ａとの間の角度が大きくなる方向である回転方向Ｒ１（図３）への第１筐体１１に対する第２筐体２１の回転を制限する。
【００４５】
次に、第２筐体２１について説明する。図１〜図４に示されるように、第２筐体２１の形状は、扁平な略直方体である。第２筐体２１は、例えば、前壁２１ｃや、後壁２１ｄ、下壁２１ｅ、上壁２１ｆ、左壁２１ｇ、右壁２１ｈ等の複数の壁を有している。
【００４６】
前壁２１ｃは、前面２１ａを含み、後壁２１ｄは、後面２１ｂを含む。
【００４７】
下壁２１ｅおよび上壁２１ｆは、それぞれ、第２筐体２１の下端部２１ｉおよび上端部２１ｊを構成している。上端部２１ｊは、回転中心軸Ｃと離間している。下端部２１ｉは、上端部２１ｊに対して回転中心軸Ｃ側に設けられている。
【００４８】
下端部２１ｉは、第２筐体２１が第１展開位置（図２）に位置された状態で載置面１００ａと接触するように、回転中心軸Ｃとずれて位置されている。このとき、支持部材４５Ｂ，４５Ｃが載置面１００ａから離間する。よって、第２筐体２１が第１展開位置（図２）に位置された状態で第１筐体１１が載置面１００ａに載置された場合には、二つの支持部材４５Ａ，４５Ｄと下端部２１ｉとが載置面１００ａと接触する。
【００４９】
左壁２１ｇおよび右壁２１ｈは、それぞれ、第２筐体２１の左端部２１ｋおよび右端部２１ｍを構成している。
【００５０】
また、第２筐体２１は、フロントカバー２３と、リヤカバー２４と、を含む複数の部材の組み合わせによって構成されている。フロントカバー２３は、前壁２１ｃの一部を含む。リヤカバー２４は、少なくとも後壁２１ｄを含む。
【００５１】
以上のように、本実施形態では、電子機器１は、第１筐体１１と、第２筐体２１と、支持部材４５Ｂ，４５Ｃと、を備える。第１筐体１１は、後端部１１ｊ（第１端部）と、後端部１１ｊの反対側の前端部１１ｉ（第２端部）と、後端部１１ｊと前端部１１ｉとに亘った下面１１ｂ（第１面）と、下面１１ｂの反対側の上面１１ａ（第２面）と、を有する。第２筐体２１は、前面２１ａ（第３面）と有し、前面２１ａと上面１１ａとが対向する位置と前面２１ａと上面１１ａとが対向しない位置との間で、後端部１１ｊと前端部１１ｉとの間で後端部１１ｊ寄りに位置された回転中心軸Ｃの回りに回転可能に、第１筐体１１に支持されている。支持部材４５Ｂ，４５Ｃは、下面１１ｂから第１筐体１１の外部に向けて突出し、後端部１１ｊと前端部１１ｉとのうち後端部１１ｊに寄せられて第１筐体１１と結合されている。支持部材４５Ｂ，４５Ｃは、当該支持部材４５Ｂ，４５Ｃの第１筐体１１からの突出方向での当該支持部材４５Ｂ，４５Ｃの先端面４５ｅを含む弾性部４５ａを有する。弾性部４５ａの少なくとも一部（一例として一部）は、下面１１ｂの外側において、回転中心軸Ｃよりも前端部１１ｉから後端部１１ｊに向かう方向に位置されている。
【００５２】
このような構成によれば、例えば、図４に示される状態から、載置面１００ａに対して第１筐体１１と第２筐体２１とが一体に回転方向Ｒ１に回転した場合でも、弾性部４５ａと載置面１０ａの接触が維持されやすい。よって、第１筐体１１の後端部１１ｊおよび角部１１ｎｂ，１１ｎｃが載置面１００ａと接触するのが抑制されやすい。
【００５３】
また、本実施形態では、先端面４５ｅは、後端部１１ｊから前端部１１ｉに向かう方向に向かうにつれて、上面１１ａから下面１１ｂに向かう方向に凸の湾曲状である。
【００５４】
このような構成によれば、例えば、図４に示される状態から、載置面１００ａに対して第１筐体１１と第２筐体２１とが一体に回転方向Ｒ１に回転した場合でも、弾性部４５ａと載置面１０ａとの接触領域を大きくしやすい。
【００５５】
また、本実施形態では、第１筐体１１は、下面１１ｂを有したロアカバー１３（第１部材）と、上面１１ａを有したアッパーカバー１４（第２部材）と、を備える。ロアカバー１３は、切り欠き部１３ａが設けられた角部１３ｎｂ，１３ｎｃを有する。支持部材４５Ｂ，４５Ｃは、切り欠き部１３ａを覆っている。
【００５６】
このような構成によれば、支持部材４５Ｂ，４５Ｃによって角部１３ｎｂ，１３ｎｃにおける切り欠き部１３ａの縁部を保護することができる。また、切り欠き部１３ａによってロアカバー１３の軽量化を図ることができる。
【００５７】
また、本実施形態では、先端面４５ｅには、溝４５ｋ（凹部）が設けられている。
【００５８】
このような構成によれば、先端面４５ｅと載置面１０ａとが密着しやすいので、先端面４５ｅが載置面１０ａに対して滑るのを抑制しやすい。
【００５９】
また、本実施形態では、溝４５ｋは、波形状である。
【００６０】
このような構成によれば、先端面４５ｅと載置面１０ａとがより一層密着しやすいので、先端面４５ｅが載置面１０ａに対して滑るのをより一層抑制しやすい。
【００６１】
また、本実施形態では、弾性部４５ａは、第２筐体２１と接触することにより、上面１１ａと前面２１ａとの間の角度が大きくなる方向である回転方向Ｒ１への第１筐体１１に対する第２筐体２１の回転を制限する。
【００６２】
このような構成によれば、第１筐体１１に対する第２筐体２１の回転を制限する部材を、弾性部４５ａとは別に設ける構成に比べて、電子機器１を簡素化しやすい。また、第２筐体２１が第１筐体１１と接触するのが抑制されるので、第２筐体２１および第１筐体１１とに傷が付くのを抑制することができる。
【００６３】
なお、上記実施形態では、先端面４５ｅが湾曲状の例が示されたがこれに限らない。例えば、先端面４５ｅは、平面であってもよい。また、上記実施形態では、弾性部４５ａの一部が、下面１１ｂの外側において、回転中心軸Ｃよりも前端部１１ｉから後端部１１ｊに向かう方向に位置された例が示されたが、これに限らない。例えば、弾性部４５ａの全体が、下面１１ｂの外側において、回転中心軸Ｃよりも前端部１１ｉから後端部１１ｊに向かう方向に位置されていてもよい。
【００６４】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００６５】
１…電子機器、１１…第１筐体、１１ａ…上面（第２面）、１１ｂ…下面（第１面）、１１ｉ…前端部（第２端部）、１１ｊ…後端部（第１端部）、１３…ロアカバー（第１部材）、１３ａ…切り欠き部、１３ｎｂ，１３ｎｃ…角部、１４…アッパーカバー（第２部材）、２１…第２筐体、２１ａ…前面（第３面）、４５Ｂ，４５Ｃ…支持部材、４５ａ…弾性部、４５ｂ…支持部、４５ｃ…貫通孔、４５ｄ…受面、４５ｅ…先端面、４５ｋ…溝（凹部）、４６…結合具、４６ａ…ヘッド部、４６ｂ…軸部、Ｃ…回転中心軸。
【要約】
【課題】載置面に対して第１筐体と第２筐体とが一体に回転した場合でも、第１筐体が載置面と接触するのが抑制されやすい新規な構成の電子機器を得る。
【解決手段】電子機器は、第１筐体と、第２筐体と、支持部材と、を備える。第１筐体は、第１端部と、第１端部の反対側の第２端部と、第１端部と前記第２端部とに亘った第１面と、第１面の反対側の第２面と、を有する。第２筐体は、第１端部と第２端部との間で第１端部寄りに位置された回転中心軸の回りに回転可能に、第１筐体に支持されている。支持部材は、支持部材の第１筐体からの突出方向での支持部材の先端面を含む弾性部を有する。弾性部の少なくとも一部は、第１筐体の第１面の外側において、回転中心軸よりも第１筐体の第２端部から第１筐体の第１端部に向かう方向に位置されている。
【選択図】図４【図１】
0006807008.tif 000002
【図２】
0006807008.tif 000003
【図３】
0006807008.tif 000004
【図４】
0006807008.tif 000005
【図５】
0006807008.tif 000006
【図６】
0006807008.tif 000007
【図７】
0006807008.tif 000008
【図８】
0006807008.tif 000009
【図９】
0006807008.tif 000010
【図１０】
0006807008.tif 000011
【図１１】
0006807008.tif 000012
【図１２】
0006807008.tif 000013
【図１３】
0006807008.tif 000014
【図１４】
0006807008.tif 000015
【図１５】
0006807008.tif 000016
【図１６】
0006807008.tif 000017
【図１７】
0006807008.tif 000018